(57)【特許請求の範囲】
【請求項１】
電磁波の漏れ及び侵入を防止するシールドボックスに着脱可能なシールド構造体であって、
前記シールドボックスの蓋の周囲に沿って取り付け可能な磁石を包含した第１フレームと前記シールドボックスの函体の周囲に沿って取り付け可能な磁石を包含した第２フレームとを備える、前記シールドボックスの開閉部分に取り付け可能な可撓性を有するフレームと、
前記第１フレームと前記第２フレームに取り付けられた前記電磁波シールド布とを具備する、
シールド構造体。
【請求項２】
前記電磁波シールド布は蛇腹状である、請求項１に記載のシールド構造体。
【請求項３】
請求項１又は２の請求項に記載のシールド構造体を備えたシールドボックス。
【発明の詳細な説明】
【技術分野】
【０００１】
本発明は、無線通信端末等の性能検査等に用いて好適なシールド構造体及びシールドボックスに関する。
【背景技術】
【０００２】
近年、多機能通信端末をはじめとする無線通信端末のめざましい発達に伴い、さらなる需要の伸びが見込まれる一方、これら無線通信端末に関わる開発サイクルも短くなり、新製品のリリース数や修理等の件数も大幅に増加している。
【０００３】
ところで、無線通信端末の開発や製品の出荷、修理等に際しては、当該端末が正常に機能するか否かを確認するべく、性能検査（性能試験）が必須となる。その性能検査の１つに送信電波や受信感度の検査（以下、これらをまとめて「電波検査」という）がある。
【０００４】
かかる検査を行う際には、外界から電磁的に遮蔽され、かつ、無線通信端末から発せられる電波の反射等の影響が少ない電波暗室などを利用して行うのが理想である。しかしながら、電波暗室は極めて高価であることに加え、場所も限られる等の理由により採用され難い。このような高価な電波暗室に代わり、安価で手軽なシールドボックスが開発され、広く利用されるようになっている（例えば、特許文献１参照）。
【０００５】
図８は、従来のシールドボックスの全体構成を示す斜視図である。
シードボックス１００は、函体１０１と蓋１０２とを備えて構成され、それぞれ電磁遮蔽効果の高い金属から形成されている。蓋１０２は、ヒンジを介して函体１０１に開閉可能に取り付けられている。函体１０１の蓋１０２を開けることで、無線通信端末１０３を函体１０１の中に収容することが可能となっている。シールドボックス１０１の内部に収容された無線通信端末１０３は、函体１０１の蓋１０２を閉めることにより、外界と電磁的に遮蔽される。
【先行技術文献】
【特許文献】
【０００６】
【特許文献１】特開２００７−１７８４１５号公報
【発明の概要】
【発明が解決しようとする課題】
【０００７】
ここで、電波検査を行う際には、函体１０１に格納した無線通信端末１０３について何らかの操作（ボタン操作や位置の変更など）が必要になることがある。かかる操作を行うためには、蓋１０２を開閉する必要があるが、蓋１０２を開閉することで電磁波等が漏れ出してしまい、シールドボックス１０１を利用して検査することのメリットが低減してしまう、という問題が指摘されていた。
【０００８】
本発明はこのような事情に鑑みてなされたものであり、簡易な構成でありながら、シールドボックスの蓋を開閉する場合であっても、従来に比して電磁波等の漏れを抑制することが可能なシールド構造体及びシールドボックスを提供することを目的とする。
【課題を解決するための手段】
【０００９】
本発明の一実施形態にシールド構造体は、電磁波の漏れ及び侵入を防止するシールドボックスに着脱可能なシールド構造体であって、磁石を包含したフレームであり、シールドボックスの開閉部分に取り付け可能な可撓性を有するフレームと、フレームに取り付けられた電磁波シールド布とを具備することを特徴とする。
【００１０】
ここで、上記構成にあっては、フレームは、シールドボックスの蓋の周囲に沿って取り付け可能な第１フレームとシールドボックスの函体の周囲に沿って取り付け可能な第２フレームとを備える態様が好ましい。
【００１１】
また、上記構成にあっては、電磁波シールド布は蛇腹状である態様も好ましい。
【発明の効果】
【００１２】
本発明によれば、簡易な構成でありながら、シールドボックスの蓋を開閉する場合であっても、従来に比して電磁波等の漏れを抑制することが可能となる。
【図面の簡単な説明】
【００１３】
【図１】本発明の一実施形態であるシールド構造体がシールドボックスに装着された構成を示す図である。
【図２】シールド構造体の拡大斜視図である。
【図３】シールド構造体のフレームの断面図である。
【図４】シールド布の部分拡大図である。
【図５】シールドボックスに対するシールド構造体の取り付け態様を例示した図である。
【図６】シールド構造体のその他の使用例を示す図である。
【図７】シールド構造体の他の例を示す図である。
【図８】シールドボックスの従来例を示す図である。
【発明を実施するための形態】
【００１４】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１５】
Ａ．本実施形態
図１は、本実施形態に係るシールド構造体１０００がシールドボックス２００に装着された構成を示す図である。なお、本実施形態では、シールドボックス２００に収容される端末の一例として無線通信端末を想定するが、あらゆる電子機器に適用可能である。
【００１６】
シールド構造体１０００は、シールドボックス２００の外側（あるいは内側）に取り付けるタイプのシールドカバーである。シールド構造体１０００は、シールドボックス２００に対して着脱自在に取り付け可能なフレーム１１００と、フレーム１１００に固着されたシールド布１２００とを備えている。
【００１７】
図２はシールド構造体１０００の拡大斜視図であり、図３はシールド構造体１０００のフレーム１１００の断面図、図４はシールド布１２００の部分拡大図である。
図３に示すように、フレーム１１００は、多層構造を有しており、内層はシート状のマグネット１１００ａ、中層は可撓性を有するシリコン１１００ｂ、そしてその外はフレーム１１００に固着されたシールド布１２００となっている。シールド布１２００は、例えばポリエステル布に軟磁性金属をメッキ加工した電磁波の遮蔽効果の高い布などが挙げられる。また、可視光線の透過率や反射率の値によって視認性が異なる。もっとも、いかなるシールド布を利用するかは使用目的に応じて適宜決定すればよい。本実施形態では、透明性のシールド布を用いて視認性を確保している、そして、フレーム１１００に埋め込まれたマグネット１１００ａにより、磁性を帯びたシールドボックス２００の外枠に着脱可能にとなっている。視認性を確保するという点では、金属と強化繊維などを融合した、視認性の高いメッシュ構造の素材（例えば、メッシュ０．０８ｍｍ〜０．２ｍｍ程度のメッシュ素材など）をシールド布として利用しても良い。
【００１８】
なお、磁石（マグネット）１１００ａとしては、例えば鉄、クロム、コバルトを主成分とし鋳造した磁石（鋳造磁石）が考えられるが、どのようなタイプのマグネットを利用するかは適宜設定・変更可能である。また、可撓性を有する部材としてシリコン１１００ｂを例示したが、シリコンに限定する趣旨ではなく、他の部材を用いても良いのはもちろんである。
【００１９】
ここで、シールドボックス２００の外枠は、ヒンジを介して函体２０１に開閉可能に取り付けられている蓋２０２の外周部２０２ａと、蓋２０２の外周部２０２ａに対応する函体２０１の外周部２０１ａとから構成されている（図１参照）。本実施形態に係るフレームは、蓋２０２の外周部２０２ａに沿って取り付け可能なフレーム部分（第１フレーム）と、函体２０１の外周部２０１ａに沿って取り付け可能なフレーム部分（第２フレーム）とから構成されている。さらに、本実施形態では、フレーム１１００に対して蛇腹状のシールド布１２００が取り付けられている（図４参照）。このため、蓋２０２を閉めた時には、シールド布１２００はフレーム１１００の幅内で収容可能となる。これにより、蓋２０２の開閉の際、シールド布１２００が邪魔になる等の不具合を未然に防止することが可能となる。
【００２０】
また、シールド布１２００は、フレーム１１００の全周を囲うように取り付けられているため、シールドボックス２００の開閉前面部２３０だけでなく、開閉側面部２４０も含めて電磁波をシールドする。これにより、シールドボックス２００の開閉前面部２３０のみをシールド布１２００で覆う場合に比較して電磁シールドの遮蔽効果を高めることが可能となる。
【００２１】
図５は、シールドボックス２００に対するシールド構造体１０００の取り付け態様を例示した図である。図５に示すように、シールド構造体１０００は、フレーム１１００に埋め込まれたマグネット１１００ａにより、磁性を帯びたシールドボックス２００の外枠に着脱可能に取り付けられる。もっとも、フレーム１１００は、主に、フレキシブルなマグネット１１００ａ及びシリコン１１００ｂによって構成されているため、シールドボックス２００のその他の面（磁性を有する外面や内面）の周囲（すなわち、シールドボックスの開閉部分）に沿って取り付けるなど、取り付け位置の変更に対して柔軟に対応可能である。
【００２２】
なお、フレーム１１００の長さは、シールドボックス２００の外枠の外周と完全に一致している必要はなく、シールドボックス２００の外枠の外周よりも短い場合（あるいは長い場合）にも適用可能である。また、現在、汎用されているシールドボックス２００のサイズは様々であるが、本実施形態に係るフレーム１１００はフレキシブルに取り付け可能であるため、汎用されている様々なサイズのシールドボックス２００に適用可能である。
【００２３】
図６は、シールド構造体１０００のその他の使用例を示す図である。
上記例では、シールドボックス２００にシールド構造体１０００を取り付けて利用する場合について説明したが、例えばシールド構造体１０００のみを利用しても良いのはもちろんである。例えば、図６に示すようにシールド構造体１０００のフレーム１１００を曲げることで平面上に広げ、いわゆる蚊帳のようにして利用することも可能である。
【００２４】
以上説明したように、本実施形態によれば、シールドボックスの外側（あるいは内側）の周囲に沿って着脱可能なシールド構造体を設けることで、シールドボックスの蓋を開閉する場合であっても、従来に比して電磁波等の漏れを抑制することが可能となる。また、透明性のシールド布を用いることで、シールドボックスを開いた状態で、シールドボックス内に収容されている無線通信端末等の稼働状態やディスプレイの表示を目視確認することが可能となる。
【００２５】
Ｂ．その他
上述した本実施形態では、シールドボックス２００の開閉前面部２３０だけでなく、開閉側面部２４０も含めて電磁波をシールドする場合について説明したが、例えば、図７に示すように、シールドボックス２００の開閉前面部２３０のみを覆うシールド構造体１０００ａであっても良い。この場合、電磁波の遮蔽効果は本実施形態に比べて劣るものの、より簡易かつ安価にシールド構造体１０００ａを形成することが可能となる。この場合、シールド構造体１０００ａのシールド布１２００を、シールドボックス２００に係止する部材として、例えば開閉フック２５０を利用しても良い。かかる態様によれば、より簡易にシールド構造体１０００ａを構成することが可能となる。
【００２６】
また、上述した本実施形態では、フレーム構造体１０００をシールドボックス２００に取り付ける手段として、フレーム１１００に埋め込まれたマグネット１１００ａを利用したが、これに代えて（あるいは加えて）ファスナーやボタンを利用してフレーム構造体１０００をシールドボックス２００に取り付けても良い。
【００２７】
また、上述した本実施形態では、収容の便宜を考慮し、蛇腹状のシールド布１２００を例示したが、これに限る趣旨ではなく、例えばシャッタータイプのシールド布や既成のシールド布などを利用しても良い。
【００２８】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００２９】
１０００、１０００ａ…シールド構造体、１１００…フレーム、１１００ａ…マグネット、１１００ｂ…シリコン、１２００…シールド布、２００…シールドボックス、２０１…函体、２０１ａ、２０２ａ…外周部、２０２…蓋、２３０…開閉前面部、２４０…開閉側面部、２５０…開閉フック。
【図１】
0006006258.tif 000002
【図２】
0006006258.tif 000003
【図３】
0006006258.tif 000004
【図４】
0006006258.tif 000005
【図５】
0006006258.tif 000006
【図６】
0006006258.tif 000007
【図７】
0006006258.tif 000008
【図８】
0006006258.tif 000009